(57)【要約】【課題】  回転陽極構体及び回転陽極Ｘ線管を提供する。【解決手段】  回転陽極構体は、陽極ターゲットと、陽極ターゲットを支持する円筒状の陽極ターゲット支持体と、陽極ターゲット支持体の一端部が内周に挿入される円筒状の駆動ローターと、回り止め部材とを備えている。駆動ローターは、内周に向けて突設したフランジ部を有し、フランジ部には回り止め部材の係合孔が形成してあり、駆動ローターの内周面にはフランジ部よりも陽極ターゲット支持体の挿入側に雌ねじが形成されており、陽極ターゲットの一端部にはその外周に雄ねじが形成されており、雌ねじと雄ねじとが螺合されていると共に回り止め部材をフランジ部の前記係合孔を介して陽極ターゲット支持体の一端部に当接している。【選択図】図１
2018060623.tif 000002
【特許請求の範囲】
【請求項１】
陽極ターゲットと、
前記陽極ターゲットを支持する円筒状の陽極ターゲット支持体と、
前記陽極ターゲット支持体の一端部が内周に挿入される円筒状の駆動ローターと、
回り止め部材と、を備え、
前記駆動ローターは、内周に向けて突設したフランジ部を有し、前記フランジ部には前記回り止め部材の係合孔が形成してあり、前記駆動ローターの内周面には前記フランジ部よりも前記陽極ターゲット支持体の挿入側に雌ねじが形成されており、前記陽極ターゲットの前記一端部にはその外周に雄ねじが形成されており、前記雌ねじと前記雄ねじとが螺合されていると共に前記回り止め部材を前記フランジ部の前記係合孔を介して前記陽極ターゲット支持体の前記一端部に当接している回転陽極構体。
【請求項２】
前記フランジ部に形成された前記係合孔には雌ねじが形成してあり、前記回り止め部材は前記係合孔の前記雌ねじに螺合するねじ又はボルトである請求項１に記載の回転陽極構体。
【請求項３】
前記回り止め部材は、前記フランジ部及び前記駆動ローターの内周面に溶接されている請求項１又は２に記載の回転陽極構体。
【請求項４】
前記陽極ターゲット支持体の前記一端部には、前記回り止め部材との当接面に窪みが形成してある請求項１〜３のいずれか一項に記載の回転陽極構体。
【請求項５】
前記陽極ターゲット支持体はモリブデン又はモリブデン合金である請求項１〜４のいずれか一項に記載の回転陽極構体。
【請求項６】
請求項１〜４のいずれか一項に記載の陽極構体と、前記陽極ターゲットに対向して設けられた陰極と、前記陽極構体及び前記陰極とを収納した外囲器と、外囲器の外側で前記駆動ローターの外周面に対向して配置したステーターコイルとを備える回転陽極Ｘ線管。
【発明の詳細な説明】
【技術分野】
【０００１】
本発明の実施形態は、回転陽極構体及び回転陽極Ｘ線管に関する。
【背景技術】
【０００２】
一般に、回転する傘状の陽極ターゲットに、対向して設けた陰極から放出された電子線が衝突してＸ線を発生する回転陽極Ｘ線管が公知である。かかる回転陽極Ｘ線管において、回転陽極構体は、陽極ターゲットと、陽極ターゲットを支持する陽極ターゲット支持体と、陽極ターゲット支持体に固定され且つ外部から回転駆動力を受ける駆動ローターとから構成されている。
【先行技術文献】
【特許文献】
【０００３】
【特許文献１】特表２００３−５３６２２５号公報
【発明の概要】
【発明が解決しようとする課題】
【０００４】
回転陽極構体では、陽極ターゲット支持体と駆動ローターとが強固に連結されることが要求されている。特に、陽極ターゲット支持部材や駆動ローターは高温の環境下にあるため、その熱の影響により連結部分の強度が低下するおそれがあった。
【０００５】
本発明の実施形態は、簡易な構成で連結部分の強度が高い回転陽極構体及びその回転陽極構体を用いた回転陽極Ｘ線管を提供する。
【課題を解決するための手段】
【０００６】
一実施形態に係る回転陽極構体は、陽極ターゲットと、前記陽極ターゲットを支持する円筒状の陽極ターゲット支持体と、前記陽極ターゲット支持体の一端部が内周に挿入される円筒状の駆動ローターと、回り止め部材と、を備え、前記駆動ローターは、内周に向けて突設したフランジ部を有し、前記フランジ部には前記回り止め部材の係合孔が形成してあり、前記駆動ローターの内周面には前記フランジ部よりも前記陽極ターゲット支持体の挿入側に雌ねじが形成されており、前記陽極ターゲットの前記一端部にはその外周に雄ねじが形成されており、前記雌ねじと前記雄ねじとが螺合されていると共に前記回り止め部材を前記フランジ部の前記係合孔を介して前記陽極ターゲット支持体の前記一端部に当接している。
【図面の簡単な説明】
【０００７】
【図１】図１は、第１実施の形態に係る回転陽極Ｘ線管の概略的構成を示す縦断面図である。
【図２】図２は、図１に示す回転陽極構体を抜き出して示す断面図である。
【図３】図３は、図２に示すＡ部の拡大図である。
【図４】図４は、図２に示す回転陽極構体の分解斜視断面図である。
【図５】図５は、図１に示す回転陽極構体の外観を示す斜視図である。
【図６】図６は、図５に示す回転陽極構体の分解斜視図である。
【図７】図７は、第２実施形態を示す図であり、図３に対応した部分の拡大図である。
【発明を実施するための形態】
【０００８】
以下に、図面を参照しながら、実施の形態に係る回転陽極Ｘ線管装置について詳細に説明する。なお、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
（第１実施の形態）
まず、図１〜図６を参照して、第１実施の形態に係る回転陽極Ｘ線管１について説明する。
【００１０】
図１に示すように、回転陽極Ｘ線管１は、真空外囲器３と、真空外囲器３内に収納された回転陽極構体５と、軸７と、陰極９と、真空外囲器３の外側に設けたステーターコイル１１とを備えている。
【００１１】
真空外囲器３内は真空に保持されている。
【００１２】
回転陽極構体５は、陽極ターゲット１２と、陽極ターゲット支持体１３と、駆動ローター１５と、回り止め部材１７とを備えている。
【００１３】
陽極ターゲット１２は、傘状であり、その外面には陽極ターゲット層１２ａが形成されている。尚、陽極ターゲット層１２ａは図２〜図６では省略している。陽極ターゲット１２は、高融点金属でできており、例えば、モリブデン、タングステン若しくはこれらの各合金が使用されている。陽極ターゲット層１２ａも、高融点金属でできており、例えば、タングステン、モリブデン若しくはこれらの各合金が使用されている。
【００１４】
陽極ターゲット支持体１３は、有底の円筒形状であり、底部１３ａ側に陽極ターゲット１２が固定されている。陽極ターゲット１２の中央部には孔（図１に破線で示す）が形成してあり、この孔に陽極ターゲット支持体１３を挿入して陽極ターゲット１２がろう付けで固定されている。
【００１５】
円筒形状の陽極ターゲット支持体１３の一端部は、駆動ローター１５の内周側に挿入されており、この挿入端部（一端部）には、外周側に突設する第１フランジ部１９が形成されている。第１フランジ部１９の外周面には、周方向に沿って雄ねじ２１（図４参照）が形成されている。
【００１６】
第１フランジ部１９の駆動ローター１５側の端面には、回り止め部材１７の先端を受ける凹部２７が形成されている。凹部２７は、後述する回り止め部材１７の数に対応して周方向に間隔をあけて設けてあり、例えば、第１実施の形態では８個形成されている。凹部２７は回り止め部材１７の先端部を受ける形状及び寸法であれば良く、深さは回り止め部材１７を受ける寸法であれば良く、回り止め部材１７の先端部が引掛かる程度の深さであれば良い。
【００１７】
駆動ローター１５は略円筒形状であり、外層部１５ａと内層部１５ｂとの２層構造を成している。外層部１５ａは、銅又はその合金でできており、内層部１５ｂは、鉄系金属、例えば純鉄でできている。内層部１５ｂには、内周側に突設する第２フランジ部２３が形成されている。
【００１８】
内層部１５ｂにおいて、第２フランジ部２３の陽極ターゲット１２側には、第１フランジ部１９の雄ねじ２１が螺合する雌ねじ２５（図４参照）が形成されている。
【００１９】
第２フランジ部２３には、その周方向に沿って所定間隔で設けた係合孔２９が形成されている。係合孔２９は、陽極ターゲット支持体１３とは反対側から回り止め部材１７が係合する孔である。係合孔２９に係合した回り止め部材１７の先端は、第１フランジ部１９の凹部２７の底面に当接する。本実施の形態では、係合孔２９は雌ネジ孔であり、回り止め部材１７はねじ又はボルトである。
【００２０】
陰極９は、真空外囲器３の内側に向けて取り付けられており、電子を放出する電子放出源としてのフィラメント３１を備えている。
【００２１】
軸７は、図１に示すように、陽極ターゲット支持体１３及び駆動ローター１５の内側に配置されおり、これらで構成する回転陽極構体５を回転自在に支持している。
【００２２】
次に、第１実施の形態に係る回転陽極構体５及び回転陽極Ｘ線管の組み立てついて説明する。
【００２３】
回転陽極構体５の組み立ては、図４及び図６に示すように、まず、傘状の陽極ターゲット１２の中心孔に陽極ターゲット支持体１３を嵌入してろう付けで固定する。一方、陽極ターゲット支持体１３には、第１フランジ部１９の外周面に雄ねじ２１を形成する。
【００２４】
駆動ローター１５では、円筒形状の内層部１５ｂにおいて、第２フランジ部２３の陽極側部分に第１フランジ部１９の雄ねじ２１が螺合する雌ねじ２５を形成する。また、第２フランジ部２３には、その周方向に所定間隔をあけて係合孔２９に雌ねじ２８（図３参照）を形成する。
【００２５】
その後、陽極ターゲット支持体１３の第１フランジ部１９の雄ねじ２１（図４参照）を駆動ローター１５の内層部１５ｂに形成した雌ねじ２５に螺合させて、陽極ターゲット支持体１３と駆動ローター１５とを連結し、次に、駆動ローター１５の第２フランジ部２３において、陽極ターゲット支持体１３と反対側から回り止め部材１７を係合孔２９に螺合してその先端を第１フランジ部１９の凹部２７の底に当接させる。
【００２６】
このようにして組み立てた回転陽極構体５の内部に軸７を設けて軸７と共に回転陽極構体５を真空外囲器３内に取り付ける。また、真空外囲器３には陰極９を取り付ける。そして、真空外囲器３の外部にはステーターコイル１１を設けて、回転陽極Ｘ線管１を組み立てる。
【００２７】
回転陽極Ｘ線管１は、ステーターコイル１１に通電することで駆動ローター１５の外層部１５ａがその電磁力により回転し、陰極９から放出された電子が陽極ターゲット層１２ａに衝突して、Ｘ線が発生し、Ｘ線が真空外囲器３の外部に放出される。
【００２８】
本実施の形態によれば、回転陽極構体５は、陽極ターゲット支持体１３の外周に形成した大口径の雄ねじ２１と、これに螺合する駆動ローター１５の内周側に形成した大口径の雌ねじ２５との螺合により陽極ターゲット支持体１３と駆動ローター１５を連結しているので、大口径ねじ２１、２５どうしの螺合で連結しているから、連結部分の強度が高い。
【００２９】
また、陽極ターゲット支持体１３の外周面に大口径の雄ねじ２３を形成し、駆動ローター１５の内周面に大口径の雌ねじ２５を互いに螺合するねじを形成しているので、ねじが形成し易い。特に、陽極ターゲット支持体１３はモリブデン等の硬い材料の場合には、小径の雌ねじ孔が形成し難いが、外周面に雄ねじを形成するものであるからねじが形成しやすい。
【００３０】
駆動ローター１５には、陽極ターゲット支持体１３に対して、回り止め部材１７を設けているので、陽極ターゲット支持体１３の第１フランジ部１９の外周面に形成した大口径の雄ねじ２１と駆動ローター１５の内周面に形成した大口径の雌ねじ２５との締結力加えて、陽極ターゲット支持体１３の第１フランジ部１９にはその端面に当接する回り止め部材１７を当てて張力を生じさせているので、陽極ターゲット支持体１３と駆動ローター１５とを強固に締結できる。
【００３１】
本実施の形態にかかる回転陽極構体５を用いた回転陽極Ｘ線管１によれば、駆動ローター１５と陽極ターゲット支持体１３が離れたり、ずれたりすることなく、安定した回転を維持することができる。したがって、回転陽極Ｘ線管１から安定したＸ線を発生できる。
【００３２】
以下に、他の実施の形態を説明するが、以下に説明する実施形態において、上述した一実施形態と同一の作用効果を奏する部分には同一の符号を付することによりその部分の詳細な説明を省略し、以下の説明では一実施形態と主に異なる点を説明する。
【００３３】
（第２実施の形態）
図７に第２実施の形態にかかる回転陽極構体５の陽極ターゲット支持体１３と駆動ローター１５との連結部分を示す。この第２実施の形態では、回り止め部材１７を駆動ローター１５の内周面に溶接部分３５で溶接していることが、第１実施の形態と異なっている。
【００３４】
この第２実施の形態によれば、上述した第１実施の形態と同様の作用効果を奏することができる。
【００３５】
更に、第２実施の形態によれば、回り止め部材１７を溶接により固定しているから、回り止め部材１７の外れを確実に防止でき、陽極ターゲット支持体１３と駆動ローター１５とを更に強固に固定できる。
【００３６】
上述した一実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【００３７】
例えば、第１実施の形態において、回り止め部材１７は第２フランジ部２３に形成した係合孔２９にねじを形成してねじ止めすることに限らず、圧入等により固定するものであっても良いし、圧入した後に溶接して第２フランジ部２３に固定するものであってもよい。
【００３８】
回り止め部材１７及び回り止め部材１７が嵌合する係合孔２９の数は、各々８個に限らず、６個でも良いし、４個でも良く、その数は限定されない。
【符号の説明】
【００３９】
１…回転陽極Ｘ線管、５…回転陽極構体、１２…陽極ターゲット、１３…陽極ターゲット支持体、１５…駆動ローター、１７…回り止め部材、２３…第２フランジ部（フランジ部）、２１…雄ねじ、２５…雌ねじ、２７…凹部、２９…係合孔。
【図１】
2018060623.tif 000003
【図２】
2018060623.tif 000004
【図３】
2018060623.tif 000005
【図４】
2018060623.tif 000006
【図５】
2018060623.tif 000007
【図６】
2018060623.tif 000008
【図７】
2018060623.tif 000009